(57)【要約】  【課題】  簡易な構成で生活行動を監視する生活行動監視装置を提供する。  【解決手段】  家庭内の水道管または配水管の外側に接するように、ショックセンサＳＳ１〜ＳＳ６を設置する。家庭内水道管Ｗ１１、Ｗ１２、Ｗ１３、または排水管Ｗ１４、Ｗ１５、Ｗ１６内に水が流れると、この振動が水道管または排水管に伝わり、ショックセンサＳＳ１〜ＳＳ６によって検出される。検出結果をコントローラ５０から予め定められた連絡先に通知することにより、住人Ｔ１の安否を知ることができる。また、上下水道の時間差を検出して誤検出を防止できる。  【選択図】  図１
2006134155.tif 000002
【特許請求の範囲】
【請求項１】
対象者が家屋内にておこなう生活行動の結果生じるデータを検知することにより、前記対象者の生活行動を監視する生活行動監視装置であって、
家屋内に配置された下水道管に取り付けられた下水道管ショックセンサ、
前記下水道管ショックセンサからの検出データを受け取り、前記下水道管内を水が流れたかを判断する判断手段、
前記判断手段からの判断結果を報知する報知手段、
を備えたことを特徴とする生活行動監視装置。
【請求項２】
対象者が家屋内にておこなう生活行動の結果生じるデータを検知することにより、前記対象者の生活行動を監視する生活行動監視装置であって、
家屋内に配置された上水道管に取り付けられた上水道管ショックセンサ、
前記上水道管ショックセンサからの検出データを受け取り、前記上水道管内を水が流れたかを判断する判断手段、
前記判断手段からの判断結果を報知する報知手段、
を備えたことを特徴とする生活行動監視装置。
【請求項３】
請求項１の生活行動監視装置において、
家屋内に配置された上水道管に取り付けられた上水道管ショックセンサを備え、
前記判断手段は、両ショックセンサから検出を開始しない場合には、誤検出であると判断すること、
を特徴とするもの。
【請求項４】
請求項３の生活行動監視装置において、
前記判断手段は、両ショックセンサからの検出について、その時間ズレが所定の関係を越える場合には、誤検出であると判断すること、
を特徴とするもの。
【請求項５】
請求項１または請求項２の生活行動監視装置において、
前記ショックセンサは、1kHz〜16kHzの振動を検出すること、
を特徴とするもの。
【請求項６】
請求項４の生活行動監視装置において、
前記ショックセンサは、2kHz〜8kHzの振動を検出すること、
を特徴とするもの。
【請求項７】
請求項５の生活行動監視装置において、
前記ショックセンサは、約4kHzの振動を検出すること、
を特徴とするもの。
【請求項８】
請求項１の生活行動監視装置において、さらに、
前記下水道管に温度センサを設け、
前記判断手段は、前記温度センサからの検出データの変化によって、前記下水道管内を水が流れたかを判断すること、
を特徴とするもの。
【請求項９】
Ａ）対象者が家屋内にておこなう生活行動の結果生じるデータを検知することにより、前記対象者の生活行動を検出する生活行動検出装置であって、
Ｂ）家屋内に配置された上水道管の振動が検出できるように、前記上水道管の外面に接触して取り付けられた上水道管ショックセンサまたは、家屋内に配置された下水道管の振動が検出できるように、前記下水道管の外面に接触して取り付けられた下水道管ショックセンサからの検出データを受け取る検出データ受け取り手段、
Ｃ）前記検出データに基づいて、前記上水道管内または下水道管内を水が流れたかを判断する判断手段、
を備えたことを特徴とする生活行動検出装置。
【請求項１０】
対象者が家屋内にておこなう生活行動の結果生じるデータを検知することにより、前記対象者の生活行動を監視する生活行動監視方法であって、
家屋内に配置された下水道管に下水道管ショックセンサを取り付け、
前記下水道管ショックセンサからの検出データを受け取り、前記下水道管内を水が流れたかを判断し、
判断結果をあらかじめ登録している報告対象者に報知すること、
を特徴とする生活行動監視方法。
【請求項１１】
対象者が家屋内にておこなう生活行動の結果生じるデータを検知することにより、前記対象者の生活行動を監視する生活行動監視装置であって、
家屋内に配置された上水道管または下水道管に取り付けられた温度センサ、
前記温度センサからの検出データの変化によって、前記上水道管または下水道管内を水が流れたかを判断する判断手段、
前記判断手段からの判断結果を報知する報知手段、
を備えたことを特徴とする生活行動監視装置。
【発明の詳細な説明】
【技術分野】
【０００１】
この発明は、生活行動監視装置に関し、特に、簡易な検知処理に関する。
【背景技術】
【０００２】
特許文献１には、漏水、人の存在・生存、正常の有無等を監視する水道使用量の検針値を利用した監視システムが開示されている。
【０００３】
【特許文献１】特開平2002-133573号
【発明の開示】
【発明が解決しようとする課題】
【０００４】
しかしながら、水道の検針メータに機器を取り付けるには水道局の許可が必要で、許可を取得するのは煩雑である。また、一般家庭などでは水道メータが地中にある場合には、降雨によりメータが水没することがあり、このような位置に存在する検針メータにセンサを取り付ける場合には、防水処理が必要である。
【０００５】
本発明は上記のような問題点を鑑みてなされたものであり、簡易な構造で生活行動を監視することができる生活監視システムを提供することを目的とする。
【課題を解決するための手段】
【０００６】
１）本発明にかかる生活行動監視装置は、Ａ）対象者が家屋内にておこなう生活行動の結果生じるデータを検知することにより、前記対象者の生活行動を監視する生活行動監視装置であって、Ｂ）家屋内に配置された下水道管に取り付けられた下水道管ショックセンサ、Ｃ）前記下水道管ショックセンサからの検出データを受け取り、前記下水道管内を水が流れたかを判断する判断手段、Ｄ）前記判断手段からの判断結果を報知する報知手段を備えている。このように、下水管への流水をショックセンサにより検出することにより、簡易な構成で生活行動を把握することができる。また、水没等の心配のない設置位置を選択することができる。
【０００７】
２）本発明にかかる生活行動監視装置は、Ａ）対象者が家屋内にておこなう生活行動の結果生じるデータを検知することにより、前記対象者の生活行動を監視する生活行動監視装置であって、Ｂ）家屋内に配置された上水道管に取り付けられた上水道管ショックセンサ、Ｃ）前記上水道管ショックセンサからの検出データを受け取り、前記上水道管内を水が流れたかを判断する判断手段、Ｄ）前記判断手段からの判断結果を報知する報知手段を備えている。このように、下水管への流水をショックセンサにより検出することにより、簡易な構成で生活行動を把握することができる。また、水没等の心配のない設置位置を選択することができる。
【０００８】
３）本発明にかかる生活行動監視装置は、さらに、家屋内に配置された上水道管に取り付けられた上水道管ショックセンサを備え、前記判断手段は、両ショックセンサから検出を開始しない場合には、誤検出であると判断する。したがって、ショックセンサが他の振動を検出することによる誤検出を防止することができる。
【０００９】
４）本発明にかかる生活行動監視装置は、前記判断手段は、両ショックセンサからの検出について、その時間ズレが所定の関係を越える場合には、誤検出であると判断する。
【００１０】
５）本発明にかかる生活行動監視装置においては、前記ショックセンサは、1kHz〜16kHzの振動を検出する。したがって、判断手段は、かかる周波数帯域の振動に基づいて、水が流れたかを判断する。これにより、誤検出を防止することができる。
【００１１】
６）本発明にかかる生活行動監視装置においては、前記ショックセンサは、2kHz〜8kHzの振動を検出する。したがって、判断手段は、かかる周波数帯域の振動に基づいて、水が流れたかを判断する。これにより、誤検出を防止することができる。
【００１２】
７）本発明にかかる生活行動監視装置においては、前記ショックセンサは、約4kHzの振動を検出する。したがって、判断手段は、かかる周波数帯域の振動に基づいて、水が流れたかを判断する。これにより、誤検出を防止することができる。
【００１３】
８）本発明にかかる生活行動検出装置は、さらに、前記下水道管に温度センサを設け、前記判断手段は、前記温度センサからの検出データの変化によって、前記下水道管内を水が流れたかを判断する。したがって、より、誤検出の少ない生活行動検出装置を提供することができる。
【００１４】
９）本発明にかかる生活行動検出装置は、Ａ）対象者が家屋内にておこなう
生活行動の結果生じるデータを検知することにより、前記対象者の生活行動を監視する生活行動検出装置であって、Ｂ）家屋内に配置された上水道管の振動が検出できるように、前記上水道管の外面に接触して取り付けられた上水道管ショックセンサまたは、家屋内に配置された下水道管の振動が検出できるように、前記下水道管の外面に接触して取り付けられた下水道管ショックセンサからの検出データを受け取る検出データ受け取り手段、Ｃ）前記検出データに基づいて、前記上水道管内または下水道管内を水が流れたかを判断する判断手段を備えている。したがって、ショックセンサを設けるだけで、簡易な構成で生活行動を検出することができる。また、水没等の心配のない設置位置を選択することができる。
【００１５】
１０）本発明にかかる生活行動監視方法は、Ａ）対象者が家屋内にておこなう生活行動の結果生じるデータを検知することにより、前記対象者の生活行動を監視する生活行動監視方法であって、Ｂ）家屋内に配置された下水道管に下水道管ショックセンサを取り付け、Ｃ）  前記下水道管ショックセンサからの検出データを受け取り、前記下水道管内を水が流れたかを判断し、Ｄ）判断結果をあらかじめ登録している報告対象者に報知する。このように、下水管への流水をショックセンサにより検出することにより、簡易な構成で生活行動を把握することができる。また、水没等の心配のない設置位置を選択することができる。
【００１６】
１１）本発明にかかる生活行動検出装置は、Ａ）対象者が家屋内にておこなう生活行動の結果生じるデータを検知することにより、前記対象者の生活行動を監視する生活行動監視装置であって、Ｂ）家屋内に配置された上水道管または下水道管に取り付けられた温度センサ、Ｃ）前記温度センサからの検出データの変化によって、前記上水道管または下水道管内を水が流れたかを判断する判断手段、Ｄ）前記判断手段からの判断結果を報知する報知手段を備えている。したがって、簡易な構成で生活行動を把握することができる。また、水没等の心配のない設置位置を選択することができる。
【００１７】
なお、本明細書において「上水道管」とは、家庭内に配置される水道管をいい、実施形態では家庭内水道管Ｗ１、Ｗ１１〜Ｗ１３が該当する。また、「下水道管」とは、家庭内に配置される排水管をいい、実施形態では排水管Ｗ２、Ｗ１４〜Ｗ１６が該当する。また「流水」とは上水の場合は水だけであるが、下水の場合には水以外の成分を含む。すなわち、水分を含んだ流動体を含む概念である。
【発明を実施するための最良の形態】
【００１８】
本発明の一実施形態を図面に基づいて説明する。図１に示す生活監視装置１では、６カ所のセンサＳＳ１〜ＳＳ６が設けられている。センサＳＳ１はトイレの家庭内水道管Ｗ１１に、センサＳＳ４はトイレの排水管Ｗ１４に、センサＳＳ２は台所の家庭内水道管Ｗ１２に、センサＳＳ５は台所の排水管Ｗ１５に、センサＳＳ３は風呂の家庭内水道管Ｗ１３に、センサＳＳ６は風呂の排水管Ｗ１６にそれぞれ管の外側に接して設置されている。また、本実施形態においては、センサＳＳ１とセンサＳＳ４をグループg１のセンサとして、センサＳＳ２とセンサＳＳ５をグループg２のセンサとして、センサＳＳ３とセンサＳＳ６をグループg３のセンサとして、それぞれ上下水の流水についてグループ化した。グループ化の理由については後述する。
【００１９】
家庭内水道管Ｗ１１、Ｗ１２、Ｗ１３は、家庭内水道管Ｗ１の支分管であり、排水管Ｗ１４、Ｗ１５、Ｗ１６は、排水管Ｗ２の支分管である。
【００２０】
家庭内水道管Ｗ１１、Ｗ１２、Ｗ１３、または排水管Ｗ１４、Ｗ１５、Ｗ１６内に水が流れると、この振動が水道管または排水管に伝わる。センサＳＳ１〜ＳＳ６はそれぞれショックセンサであり、水道管または排水管に伝わった振動を検出する。本実施形態においては、ショックセンサとして村田製作所製のＰＫＳ１−４Ａを採用した。
【００２１】
センサＳＳ１〜ＳＳ６からの検出結果は、コントローラ５０に与えられる。コントローラ５０のハードウェア構成について図２を用いて説明する。図２は、コントローラ５０をＣＰＵを用いて構成したハードウェア構成の一例である。
【００２２】
コントローラ５０は、ＣＰＵ２３、メモリ２７，Ｉ／Ｆ２８，通信部３２およびバスライン２９を備えている。
【００２３】
メモリ２７は、一部がフラッシュメモリ（図示せず）で構成されており、フラッシュメモリには、ＣＰＵ２３制御用のプログラムが記憶されている。また、フラッシュメモリには、図３に示すように、報知処理データが記憶されている。図３に示す例ではＩＤ「１２３４５」と、連絡先アドレス「abc@xxx.ne.jp」、正規連絡時刻「10:00:00、15:00:00、19:00:00」が記憶されている。
【００２４】
Ｉ／Ｆ２８は、センサＳＳ１〜ＳＳ６から検出電圧（パルス信号）が与えられると、これをデジタルデータに変換する。
【００２５】
つぎに、本装置における処理について図４を用いて説明する。以下では図１に示すトイレＤＷ１が使用された場合について説明する。
【００２６】
トイレＤＷ１が使用されると、まず、排水用のセンサＳＳ４が流水を検知する。ＣＰＵ２３は、いずれかのセンサ（センサＳＳ１〜ＳＳ６）から検出電圧が与えられたか否か判断している（図４ステップＳ１）。この場合、まず、センサＳＳ４が検知を行うので、ステップＳ３に進む。ＣＰＵ２３は、ステップＳ３にてセンサの種類を判断しており、この場合、センサＳＳ４はグループg１のセンサであるので、センサＳＳ４の検出のあと、所定時間経過内にセンサＳＳ１が流水を検知するか否か判断する（ステップＳ５）。この場合、トイレＤＷ１が使用されたので、排水用のセンサＳＳ４が流水を検知したあと、すぐに、タンクへの給水によってセンサＳＳ１が流水を検知する。
【００２７】
ＣＰＵ２３は、センサＳＳ４の検出のあと、所定時間経過内にセンサＳＳ１が流水を検知したので、使用開始のカウントを開始する（ステップＳ７）。ＣＰＵ２３は、カウント開始から３分以上経過しても、センサＳＳ１から検出信号が与えられているか否かを判断している（ステップＳ９）。この場合、センサＳＳ４はトイレＤＷ１の使用が終了すると検出を停止し、また、タンクへの給水が終了すると、センサＳＳ１からの検出も停止する。したがって、検出が停止し、ＣＰＵ２３は、正常終了としてデータを記憶し（ステップＳ１３）、処理を終了する。たとえば、センサの種類に加えて、検出開始時刻と検出終了時刻を記憶するようにすればよい。
【００２８】
センサＳＳ４が排水管Ｗ１４の流水以外による振動で、検出を開始した場合には、センサＳＳ１による検出がなされない。したがって、ステップＳ５からステップＳ１５に進み、誤動作と判断して（ステップＳ１０）、処理を終了する。また、センサＳＳ４の検出がなく、センサＳＳ１だけが検出をした場合もステップＳ１５にて誤動作と判断される。
【００２９】
また、何らかの要因で、ステップＳ７にてカウント開始して、３分以上経過しても、上水管のセンサＳＳ１またはセンサＳＳ２から検出し続けている場合には、ステップＳ９からステップＳ１１に進み、異常発生と判断して、これを記憶し、処理を終了する。
【００３０】
このように、上下水道管にセンサを設け、これらのタイムラグが所定の範囲内か否かを判断することにより、トイレＤＷ１の上下水道の正常な使用の検出ができる。
【００３１】
つぎに、台所における水道ＤＷ２が使用された場合について説明する。この場合、上水用のセンサＳＳ２が流水を検知する。ＣＰＵ２３は、いずれかのセンサ（センサＳＳ１〜ＳＳ６）から検出電圧が与えられたか否か判断している（図４ステップＳ１）。この場合、まず、センサＳＳ２からの検知があると、ステップＳ３に進む。ＣＰＵ２３はどのセンサからの検出かを判断している（ステップＳ３）。この場合、センサＳＳ２はグループg２のセンサであるので、ＣＰＵ２３は、センサＳＳ２の検出のあと、５秒以内にセンサＳＳ５が流水を検知するか否か判断する（ステップＳ２１）。水道ＤＷ２は使用開始されると使用された水が下水に流れるので、上水用のセンサＳＳ２が流水を検知したあと、すぐに、センサＳＳ５が流水を検知する。したがって、ＣＰＵ２３は、センサＳＳ２の検出のあと、所定時間経過内にセンサＳＳ５が流水を検知したので、使用開始のカウントを開始する（ステップＳ２３）。ＣＰＵ２３は、カウント開始から５分以上経過しても、上水管のセンサＳＳ２から検出信号を受け続けているか否かを判断している（ステップＳ２５）。この場合、センサＳＳ２は水道ＤＷ２の使用が終了すると検出を停止し、また、排水が終了すると、センサＳＳ５からの検出も停止する。したがって、通常の使用が終了すると、検出が停止し、ＣＰＵ２３は、正常終了としてデータを記憶し（ステップＳ２９）、処理を終了する。
【００３２】
センサＳＳ２が上水管Ｗ１２の流水以外による振動で、検出を開始した場合には、センサＳＳ５による検出がなされない。したがって、ステップＳ２１からステップＳ２２に進み、誤動作と判断して処理を終了する。センサＳＳ５について検出を開始した場合も、同様にセンサＳＳ２による検出がなされないので誤動作として処理は終了する。
【００３３】
また、何らかの要因で、ステップＳ２３にてカウント開始して、５分以上経過しても、上水管のセンサＳＳ２またはセンサＳＳ５から検出し続けている場合には、ステップＳ２５からステップＳ２７に進み、異常発生と判断して、これを記憶し、処理を終了する。このようにして水道トイレＤＷ２の上下水道の正常な使用、異常使用が検出できる。
【００３４】
つぎに、風呂ＤＷ３が使用された場合について説明する。風呂では、バスタブＢに水をためる場合、シャワーを使用する場合、ためておいた水を排出する場合と、いろいろな行動が考えられる。したがって、本実施形態においては、センサＳＳ３またはセンサＳＳ６が検出開始後、所定時間以上停止しない場合には、異常を検出したとするようにし、それ以外は正常と判断するようにした。すなわち、ＣＰＵ２３は、センサＳＳ３またはセンサＳＳ６からの検出信号が与えられると、グループg３のセンサであると判断して（ステップＳ３）、使用開始のカウントを開始する（ステップＳ３１）。ＣＰＵ２３は、カウント開始から５０分以上経過しても、風呂における生活行動がカウント開始して、５０分以上経過しても、センサＳＳ３、ＳＳ６から検出し続けている場合には、ステップＳ３３からステップＳ２５に進み、異常発生と判断して、これを記憶し、処理を終了する。また、カウント開始から５０分以上経過内に検出が終了すると正常な使用であるとして処理を終了する。このようにして風呂ＤＷ３の上下水道の正常な使用の検出ができる。
【００３５】
つぎに、監視結果の報告について、図５を用いて説明する。まず、ＣＰＵ２３は、異常を検出したか否か判断する（ステップＳ４１）。異常があれば異常検出したことを知らせるメールを指定されたアドレスに送信するよう、通信部３２に送信命令を与える。これにより、図３に示す「abc@xxx.ne.jp」宛に異常があったことが報知される。なお、異常を検知したセンサの種類をあわせて報知するようにしてもよい。たとえば、「風呂の給水または排水センサが３０分以上、流水を検知している」などである。これにより、風呂にて異常が発生したことを把握することができる。なお、異常検出したことを知らせるメールの文言についてはセンサ毎に予め作成して記憶しておいてもよく、また、その都度作成してもよく、従来の公知の手法を用いることができる。
【００３６】
ＣＰＵ２３は、図ステップＳ４１にて異常を検出していない場合には、正常監視報告時期か否か判断する（ステップＳ４５）。正常監視報告時期は、図３に示す正規連絡時期になったか否かを判断すればよい。たとえば、この場合、午前１０時、午後３時、午後７時になると、図４ステップＳ１３，Ｓ２９，Ｓ３７で記憶したセンサの種類および開始及び終了時刻がメールにて通知される。このように、監視対象者Ｔ１が水を使用したことを知らせることにより、監視対象者の安否を知ることができる。
【００３７】
このように、上下水道管に接するようにショックセンサを設け、この検出結果を報知することにより、水道を用いた生活行動を簡単な構成で把握することができる。
【００３８】
また、ショックセンサによって管内の流水動作を検出する場合には、センサが接続されている管からの振動を間違って検出することも考えられる。たとえば、集合住宅であれば、隣室における流水等である。本実施形態においては、上下水道管の双方からの検出がない場合には、誤動作として検出されるだけでなく、その順序も指定することができるので、誤動作をより確実に防止することができる。また、上水と下水とで、同時に観測された場合は，周囲の振動を誤って検出したと判定するようにしてもよい。
【００３９】
4．他の実施形態
なお、ショックセンサに換えて、またはこれに加えて、温度センサを採用して温度変化を検知するようにしてもよい。具体的には温度センサから与えられる検出値の変化で流水があったか否かを判断するようにすればよい。上水道の温度は、流水時には、室外にあった水（室外温と同程度）が新たに注入されるため温度差が生じるからである。また、下水道についても、上水道からの水の流入により温度差が検知されるからである。下水道の場合、途中で、給湯などによる利用が考えられるが、その場合でも、温度変化は生ずる。なお、温度センサについては、流水時の変化にやや遅れがある（１０秒程度）。本件発明では上水又は下水の利用があるか否かを判断することを目的としているので、この程度の遅れは問題とならない。ショックセンサと温度センサを併用した場合には、より誤検出の少ない安否確認システムを提供できるし、ショックセンサに換えて温度センサを採用した場合には、簡易な構成で誤検出の少ない安否確認システムを提供できる。
【００４０】
本実施形態においては、ショックセンサとして村田製作所製のＰＫＳ１−４Ａを採用した。選択理由について説明する。本実施形態においては、上水又は下水が管を流れる場合の振動を検出しているようにしているが、全ての振動を検出すると、他の振動を誤検出するおそれがある。そこで、発明者は、管にマイクを取り付けて、マイクが検出する音の特性を計測したところ、流水時と非流水時では、図６〜図９に示すような結果が得られた。図６〜図９は、棒グラフであり、横軸が周波数帯域、縦軸が検出した振動の強度（デシベル）を表している。図６は、給湯室（非流水時）、図７は給湯室（流水時）、図８は教室（流水時）、図９は、トイレ（流水時）である。また、瞬間的な値ではなく、これが所定時間続いた場合（たとえば１０秒など）とした。たとえば、図６において、2kHzの音は６デシベルで検出されている。
【００４１】
非流水時には、図６に示すように、31.5Hz、63Hzの音が殆どで、他の125Hz以上については、殆ど検出されない。これに対して、流水時には、図７に示すように、2kHz〜16kHzの周波数帯域の音が検出されている。また、31.5Hz、63Hzの音なども増えている。また、図８に示すように、教室もほぼ同様の傾向が見られる。なお、この場合、図７と比べて少し低い1kHz〜8kHzの周波数帯域の音が検出されている（16kHzの周波数帯域の音は殆ど変化無し）。また、図９に示すように、トイレの場合は16kHzの周波数帯域の音を除く全ての周波数帯域において全般的に検出がなされている。
【００４２】
かかる検出結果から、検出する振動周波数としては、1kHz〜16kHzの周波数帯域、好ましくは、2kHz〜8kHz、さらに好ましくは、約4kHzが望ましい。
【００４３】
なお、上記実施形態においては、センサを６つ設ける場合について説明したが、上下水管にセットで設けるのであればこれに限定されない。
【００４４】
また、より簡易な構成として、水道管だけまたは排水管だけに、ショックセンサを用いるようにしてもよい。なお、ショックセンサは、可聴音として検知できない微弱な振動でも捉えることができる。
上記実施形態においては、設備毎にセンサを設け、かつ、これらのタイムラグを用いた誤動作検出の条件を異ならせた場合については説明したが、これに限定されない。なお、タイムラグについては予め対象者の生活行動に基づき、典型的な使用による検出結果を記憶しておき、いずれかに該当すれば、カウントを開始するようにすればよい。
【００４５】
また、カウント開始から終了までの時間については、生活行動にあわせて定めればよく、上記実施形態に限定されるものではない。
【００４６】
また、本実施形態においては、コントローラ５０から直接、指定されたアドレスに報知を行う場合について説明したが、コントローラ５０からの検出結果を、一旦センタコンピュータ（図示せず）に記憶し、センタコンピュータから、メールで報告するようにしてもよい。この場合には、センタコンピュータにＩＤおよび検出結果を送信するようにすればよい。また、図３に示すような報告に関する情報は、センタコンピュータに記憶するようにすればよい。
【００４７】
また、報知の手法については、メール以外にも、電話など公知の方法を用いることができる。  
また、上記実施形態においては、本発明を生活行動監視装置として把握した場合について説明したが、生活行動検出装置として把握することもできる。この場合、上水道管の振動が検出できるように、前記上水道管の外面に接触して取り付けられた上水道管ショックセンサまたは、家屋内に配置された下水道管の振動が検出できるように、前記下水道管の外面に接触して取り付けられた下水道管ショックセンサからの検出データを受け取る検出データ受け取り手段を設け、前記検出データに基づいて、前記上水道管内または下水道管内を水が流れたかを判断するようにすればよい。また、かかる検出結果を用いて監視データを生成するようにすればよい。
【００４８】
また、上水道管および／または下水道管のショックセンサに加えて、温度センサを追加するようにしてもよい。このように、管の温度から間接的に流水を検知することができる。このように、水温と室温の差異により、上下水道の流水に伴う温度差を観測することにより、利用状況を把握することができる。
【００４９】
また、前記ショックセンサは、排水管のＵ字管周囲に設置するようにしてもよい。Ｕ字管部は、流水振動が最大となるので、センサ感度の調整幅が大きく、他の周囲振動による誤動作を回避することができるからである。
【００５０】
また、本実施形態においては、管の外壁にショックセンサを設けて内部の流水状態を検出するようにした。ショックセンサの検出する特性値については誤動作も考えられる。かかる誤動作である周波数帯域の振動についてはフィルタリングして、カットするようにしてもよい。
【００５１】
上記実施形態においては、図１に示す機能を実現する為に、ＣＰＵを用い、ソフトウェアによってこれを実現している。しかし、その一部もしくは全てを、ロジック回路等のハードウェアによって実現してもよい。
【００５２】
なお、上記プログラムとは別にオペレーティングシステム（ＯＳ）を用いて、その一部の処理を当該ＯＳにさせるようにしてもよい。
【図面の簡単な説明】
【００５３】
【図１】本発明にかかる生活監視装置１の概要図である。
【図２】図１に示すコントローラ５０をＣＰＵを用いて実現したハードウェア構成の一例を示す図である。
【図３】正常監視報告用の一例を示すデータである。
【図４】センサの検出処理から異常、正常を判断するフローチャートである。
【図５】検出結果報告フローチャートである。
【図６】振動検出結果である。
【図７】振動検出結果である。
【図８】振動検出結果である。
【図９】振動検出結果である。
【符号の説明】
【００５４】
２３・・・ＣＰＵ
２７・・・メモリ
ＳＳ１〜ＳＳ６・・ショックセンサ
【図１】
2006134155.tif 000003
【図２】
2006134155.tif 000004
【図３】
2006134155.tif 000005
【図４】
2006134155.tif 000006
【図５】
2006134155.tif 000007
【図６】
2006134155.tif 000008
【図７】
2006134155.tif 000009
【図８】
2006134155.tif 000010
【図９】
2006134155.tif 000011